(57)【特許請求の範囲】
【請求項１】
光源と、入射した光を被照明体へ導く長手方向に延在する棒状の形状を有する導光体と、を備えた照明装置であって、
前記光源は、前記導光体の前記長手方向の端部に配置され、
前記導光体は、
前記光源で発光した光が入射する前記長手方向の端部に設けられた入射面と、
前記導光体に入射した光を前記被照明体へ出射し、前記長手方向に延在した平面形状の出射面と、
放物面形状を有し、この放物面形状の焦点からの光またはこの焦点を通る決められた範囲からの光を前記出射面へ向けて反射する反射面と、
前記入射面から入射した光を散乱させ前記反射面の方向へと反射する所定の散乱領域を有する光散乱部と、を備え、
前記光散乱部は、前記導光体の導光体面部に形成され、
前記導光体面部と前記出射面とを繋ぐ前記長手方向に延在した前記反射面の側寄りに前記光散乱部が配置され、
前記光散乱部は、前記放物面形状の焦点に設けられ、または、前記光散乱部の散乱領域で反射した光が前記放物面形状の焦点を通る位置に設けられ、
前記反射面で反射され前記出射面へ向かう光の方向が、前記長手方向に延在した平面形状の前記出射面の法線方向と平行である、照明装置。
【請求項２】
光源と、入射した光を被照明体へ導く長手方向に延在する棒状の形状を有する導光体と、を備えた照明装置であって、
前記光源は、前記導光体の前記長手方向の端部に配置され、
前記導光体は、
前記光源で発光した光が入射する前記長手方向の端部に設けられた入射面と、
前記導光体に入射した光を前記被照明体へ出射し、前記長手方向に延在した平面形状の出射面と、
放物面形状を有し、この放物面形状の焦点からの光またはこの焦点を通る決められた範囲からの光を前記出射面へ向けて反射する反射面と、
前記入射面から入射した光を散乱させ前記反射面の方向へと反射する所定の散乱領域を有する光散乱部と、を備え、
前記光散乱部は、前記放物面形状の焦点に設けられ、または、前記光散乱部の散乱領域で反射した光が前記放物面形状の焦点を通る位置に設けられ、
前記光散乱部は、前記導光体の導光体面部に形成され、
前記導光体面部と前記出射面とを繋ぐ前記長手方向に延在した前記反射面の側寄りに前記光散乱部が配置され、
前記反射面で反射され前記出射面へと向かう光の方向と平面形状の前記出射面の法線方向とがなす角度θが、
前記導光体の屈折率をｎとしたとき、
θ＜ｓｉｎ-１（１／ｎ）
である、照明装置。
【請求項３】
光源と、入射した光を被照明体へ導く長手方向に延在する棒状の形状を有する導光体とを有し、前記光源は、前記導光体の前記長手方向の端部に配置され、前記導光体は、前記光源で発光した光が入射する前記長手方向の端部に設けられた入射面と、前記導光体に入射した光を前記被照明体へ出射し、前記長手方向に延在した平面形状の出射面と、放物面形状を有し、この放物面形状の焦点からの光またはこの焦点を通る決められた範囲からの光を前記出射面へ向けて反射する反射面と、前記入射面から入射した光を散乱させ前記反射面の方向へと反射する所定の散乱領域を有する光散乱部とを備え、前記光散乱部は、前記放物面形状の焦点に設けられ、または、前記光散乱部の散乱領域で反射した光が前記放物面形状の焦点を通る位置に設けられ、前記反射面で反射され前記出射面へ向かう光の方向が、前記長手方向に延在した平面形状の前記出射面の法線方向と平行である、照明装置と、
受光した光を電気信号に変換する受光素子と、
前記照明装置から出射した光が前記被照明体で反射された光を前記受光素子に結像させる結像光学系と、
前記照明装置、前記受光素子及び前記結像光学系を収容又は保持する筐体と、
を備えた画像読取装置であって、
前記導光体の導光体面部である平面形状の導光体平面部と、
前記導光体平面部に対面して配置された前記筐体の平面部である筐体平面部と、
前記筐体平面部の前記導光体平面部に対面する面とは反対側の面に配置され、前記受光素子が実装された基板とを備え、
前記筐体平面部は、前記光散乱部に対応する位置に貫通穴を有し、
前記基板は、前記貫通穴に対応する位置に光反射部を設けた、画像読取装置。
【請求項４】
請求項１または２に記載の照明装置と、
受光した光を電気信号に変換する受光素子と、
前記照明装置から出射した光が前記被照明体で反射された光を前記受光素子に結像させる結像光学系と、
前記照明装置、前記受光素子及び前記結像光学系を収容又は保持する筐体と、
を備えた画像読取装置。
【請求項５】
前記導光体面部は、平面形状の導光体平面部からなり、
前記導光体平面部に対面して配置された前記筐体の平面部である筐体平面部と、
前記筐体平面部の前記導光体平面部に対面する面とは反対側の面に配置され、前記受光素子が実装された基板とを備え、
前記筐体平面部は、前記光散乱部に対応する位置に貫通穴を有し、
前記基板は、前記貫通穴に対応する位置に光反射部を設けた、
請求項４に記載の画像読取装置。
【請求項６】
光源と、入射した光を被照明体へ導く長手方向に延在する棒状の形状を有する導光体とを有し、前記光源は、前記導光体の前記長手方向の端部に配置され、前記導光体は、前記光源で発光した光が入射する前記長手方向の端部に設けられた入射面と、前記導光体に入射した光を前記被照明体へ出射する平面形状の出射面と、放物面形状であって、この放物面形状の焦点からの光またはこの焦点を通る決められた範囲からの光を前記出射面へ向けて反射する反射面と、前記入射面から入射した光を散乱させ前記反射面の方向へと反射する所定の散乱領域を有する光散乱部とを備え、前記光散乱部は、前記放物面形状の焦点に設けられている、または、前記光散乱部の散乱領域で反射した光が前記放物面形状の焦点を通る位置に設けられている照明装置と、
受光した光を電気信号に変換する受光素子と、
前記照明装置から出射した光が前記被照明体で反射された光を前記受光素子に結像させる結像光学系と、
前記照明装置、前記受光素子及び前記結像光学系を収容又は保持する筐体と、
を備えた画像読取装置であって、
前記導光体の前記光散乱部が形成されている平面形状の導光体平面部と、
前記導光体平面部に対面して配置された前記筐体の平面部である筐体平面部と、
前記筐体平面部の前記導光体平面部に対面する面とは反対側の面に配置され、前記受光素子が実装された基板とを備え、
前記筐体平面部は、前記光散乱部に対応する位置に貫通穴を有し、前記基板は、前記貫通穴に対応する位置に光反射部を設けた、画像読取装置。
【発明の詳細な説明】
【技術分野】
【０００１】
本発明は、画像読取装置、特にファクシミリ、コピー機、スキャナ等に使用される照明装置及び画像読取装置に関する。
【背景技術】
【０００２】
画像読取装置において、表面に凸凹のある読取対象物を鮮明に読み取るために、照明深度の深い光を読取対象物に照射する要求がある。【０００３】
特許文献１には、アレイ光源の光軸を原稿側に向け、光源から発光した光を導光体に入射させた後、導光体の反射面で光を折り曲げて原稿に照射する画像読取装置が開示されている。この反射面は、複数の連続した平面で構成されていることが開示されている。【０００４】
特許文献２には、光束入射面としての平面部と、光束出射面としての平面部がそれぞれの一方の端でほぼ直交しており、それぞれの他方の端は凹面反射部としての楕円曲線で接続されている照明装置が開示されている。【０００５】
特許文献３には、ＬＥＤチップから放出された光は、円筒放物面鏡に向け、円筒放物面ブロック入射面から円筒放物面ブロックに入射され、円筒放物面鏡で内面反射し、概略平行光線として、プリズム形状の円筒放物面ブロック出射面から照明領域に照射される照明ユニットが開示されている。
【先行技術文献】
【特許文献】
【０００６】
【特許文献１】特開２０１３−５５６４８号公報（図４）
【特許文献２】特開２００５−１１７６０２号公報（図２９）
【特許文献３】ＷＯ２０１３／０６２００９（図１２、図１３）
【発明の概要】
【発明が解決しようとする課題】
【０００７】
特許文献１の技術は、導光体の主走査方向（長手方向）に延在する側面に形成されている反射面が平面であるため、導光体から出射される光が広がり、照明効率が悪い問題がある。【０００８】
特許文献２の技術は、凹面反射部が楕円曲線であるため、光束出射面から出射される光が広がってしまい、深い照明深度が得られなく照明効率が悪い問題がある。【０００９】
特許文献３の技術は、円筒放物面ブロック出射面がプリズム形状であるため、プリズムの境界部分から出射する光りが乱反射してしまい、照明効率が劣化する問題がある。【００１０】
本発明は上記のような問題を解決するためになされたものであり、光源からの光を照明深度が深く効率よく原稿に照射できる照明装置及びこの照明装置を備えた画像読取装置を提供することを目的としている。
【課題を解決するための手段】
【００１１】
本発明に係る照明装置及び画像読取装置は、光源と、入射した光を被照明体へ導く長手方向に延在する棒状の形状を有する導光体と、を備えた照明装置及び画像読取装置であって、光源は、導光体の長手方向の端部に配置され、導光体は、光源で発光した光が入射する長手方向の端部に設けられた入射面と、導光体に入射した光を被照明体へ出射し、長手方向に延在した平面形状の出射面と、放物面形状を有し、この放物面形状の焦点からの光またはこの焦点を通る決められた範囲からの光を出射面へ向けて反射する反射面と、入射面から入射した光を散乱させ反射面の方向へと反射する所定の散乱領域を有する光散乱部と、を備え、光散乱部は、導光体の導光体面部に形成され、導光体面部と出射面とを繋ぐ長手方向に延在した反射面の側寄りに光散乱部が配置され、光散乱部は、放物面形状の焦点に設けられ、または、光散乱部の散乱領域で反射した光が放物面形状の焦点を通る位置に設けられ、反射面で反射され出射面へ向かう光の方向が、長手方向に延在した平面形状の出射面の法線方向と平行である、ものである。
【発明の効果】
【００１２】
本発明によれば、光源からの光を照明深度が深く効率よく原稿に照射できる照明装置及びこの照明装置を備えた画像読取装置を得ることができる。
【図面の簡単な説明】
【００１３】
【図１】本発明の実施の形態１に係る画像読取装置の斜視図である。
【図２】本発明の実施の形態１に係る画像読取装置の断面図である。
【図３】本発明の実施の形態１に係る画像読取装置の分解図である。
【図４】本発明の実施の形態１に画像読取装置の回路図である。
【図５】本発明の実施の形態１に係る画像読取装置の照明経路を示した図である。
【図６】本発明の実施の形態２に係る画像読取装置の断面図である。
【図７】本発明の実施の形態２に係る画像読取装置の分解図である。
【図８Ａ】本発明の実施の形態３に係る画像読取装置の照明経路を示した図である。
【図８Ｂ】本発明の実施の形態３に係る画像読取装置の照明経路を示した図である。
【図９Ａ】本発明の実施の形態４に係る画像読取装置の照明経路を示した図である。
【図９Ｂ】本発明の実施の形態４に係る画像読取装置の照明経路を示した図である。
【図１０】本発明の実施の形態５に係る画像読取装置の断面図である。
【図１１】本発明の実施の形態６に係る画像読取装置の斜視図である。
【図１２】本発明の実施の形態６に係る画像読取装置の分解図である。
【図１３】本発明の実施の形態６に係る画像読取装置のＹＺ面断面図である。
【図１４Ａ】本発明の実施の形態６に係る画像読取装置のＸＺ面断面図である。
【図１４Ｂ】本発明の実施の形態６に係る画像読取装置のＸＺ面断面図である。
【発明を実施するための形態】
【００１４】
実施の形態１．
本発明の実施形態１に係る画像読取装置１００について、図を参照しながら以下に説明する。尚、各図において、同一又は同様の構成要素については同一符号を付している。各図において、Ｘ、Ｙ、Ｚは座標軸を示す。Ｘ軸方向を主走査方向（長手方向）、Ｙ軸方向を副走査方向（短手方向）、Ｚ軸方向を読取深度方向とする。Ｘ軸の原点は、画像読取装置１００の主走査方向の長さの中央とする。Ｙ軸の原点は、画像読取装置１００の副走査方向の長さの中央とする。Ｚ軸の原点は、画像読取装置１００が読み取る原稿Ｍの搬送位置とする。
【００１５】
図１は、本発明の実施の形態１に係る画像読取装置１００の斜視図である。図２は、本発明の実施の形態１に係る画像読取装置１００の、図１のＡ−Ａ’での断面図である。すなわち、図２は、画像読取装置１００をＹＺ面で見た図である。図３は、本発明の実施の形態１に係る画像読取装置１００の分解図である。図１から図３を用いて本発明の実施の形態１に係る画像読取装置１００について説明する。
【００１６】
原稿Ｍは、例えば、紙幣、有価証券、その他の一般文書の画像情報である被読取媒体（被照射体）である。原稿Ｍは、画像読取装置１００でその画像情報が読取られる。光源１は、ＬＥＤ、有機ＥＬ等の発光素子であり、読み取る画像情報に応じて、赤色光（Ｒ）、緑色光（Ｇ）、青色光（Ｂ）、白色光（Ｗ）、紫外光（ＵＶ）、赤外光（ＩＲ）等を発光するものが用いられる。
【００１７】
透明体２は、例えば樹脂やガラスで構成されており、Ｘ軸方向に延在している。透明体２の、Ｘ軸方向の端部に入射面２ｄが形成されている。入射面２ｄに対向して光源１が配置されている。光源１から発光した光が入射面２ｄから透明体２の内部に入り、Ｘ軸方向に伝搬して導光される。よって、透明体２は導光体２とも称する。透明体２は、Ｚ軸方向の一方の側に、Ｘ軸方向に延在した平面部２ｅを備える。平面部２ｅは、Ｘ軸方向に形成された光散乱部２ａを備える。光散乱部２ａはＹ軸方向に所定の長さの散乱領域を有する。透明体２は、Ｚ軸方向の他方側に、透明体２の外部に光を出射するＸ軸方向に延在した出射面２ｂを備える。透明体２は、平面部２ｅと出射面２ｂとを繋ぎＸ軸方向に延在した側面２ｃを備える。側面２ｃは、放物面形状をしており、光散乱部２ａからの光を出射面２ｂへと反射する反射面２ｃでもある。
【００１８】
光源１と透明体２との組を、照明装置とも称する。
【００１９】
結像光学系３は、例えば、アレイ状に配列したロッドレンズである。結像光学系３は、原稿Ｍと基板６との間に設置され、フレーム５（筐体５）に接着剤１０やテープ１０などの保持部材１０で保持されている。結像光学系３は、照明装置から出射した光が原稿Ｍで反射した光を集光し、センサＩＣ４に結像させる機能を有する。
【００２０】
センサＩＣ４は、結像光学系３で集束された光を受光し、光電変換して電気信号を出力する。センサＩＣ４には、半導体チップ等で構成された受光部（光電変換回路）Ａ、その他の駆動回路Ｂ等が搭載されている。
【００２１】
基板６と結像光学系３との間に設置されたフレーム５は、樹脂もしくは板金で形成されている。フレーム５（筐体５）は、画像読取装置１０の外部からセンサＩＣ４に入射してくる光をさえぎるとともに、センサＩＣ４にゴミなどが進入することを防ぐ防塵効果もある。
【００２２】
フレーム５（筐体５）は、Ｘ軸方向に延在する開口部５ａを有しＸ軸方向に延在する平面部５ｂと、Ｙ軸方向において平面部５ｂの開口部５ａ側の端部に原稿Ｍ側に向かって立設している一対の傾斜部５ｃと、Ｙ軸方向において平面部５ｂの開口部５ａとは反対側の端部に原稿Ｍ側に向かって立設している側壁部５ｄとを備えている。一対の傾斜部５ｃは、原稿Ｍ側に向かうにしたがい開口部５ａのＹ軸方向の間隔が狭くなる方向へ傾斜している。すなわち、一対の傾斜部５ｃはＸ軸方向に延在する隙間を有している。平面部５ｃの両端部にはホルダ取付部５ｅが平面部５ｃと同一平面で形成されている。
【００２３】
透明体２は、平面部２ｅがフレーム５（筐体５）の平面部５ｂに対面して配置されている。透明体２は、傾斜部５ｃと側壁部５ｄとに挟まれるように配置されている。このとき、透明体２の側面（反射面）２ｃは、側壁部側５ｃに配置されている。２本の透明体２が、結像光学系３を挟んで、線対称に配置されている。
【００２４】
結像光学系３であるロッドレンズ３は、一対の傾斜部５ｃの隙間に挿入され、接着剤１０やテープ１０などの接着部材１０で一対の傾斜部５ｃに保持される。
【００２５】
基板６には、センサＩＣ４、外部コネクタ２４、その他ＡＳＩＣ１１等の電子部品が設置される。信号処理ＩＣ（ＡＳＩＣ）１１は、ＣＰＵ（中央処理装置）１２ａやＲＡＭ（ランダムアクセスメモリ）１２ｂと連動して、センサＩＣ４により受光した光電変換出力等を信号処理する。ＡＳＩＣ１１のＣＰＵ１２ａ、ＲＡＭ１２ｂ及び信号処理回路１２ｃをまとめて信号処理部１２と呼ぶ。基板６は、テープ、接着剤、ネジなどでフレーム５に固定される。
【００２６】
基板６は、フレーム５（筐体５）の平面部５ｂにおける透明体２が配置された面側とは反対側の面に固定される。このとき、結像光学系３の光軸がセンサＩＣ４の受光部に一致している。
【００２７】
ホルダ７は、透明体２においてＸ軸方向における一方側の端部に設けられている。ホルダ７の穴部７ａに透明体２の端部が挿入される。透明体２が挿入されたホルダ７は、フレーム５のホルダ取付部５ｅにテープ、接着剤、ネジなどで固定される。ホルダ７は、白色の樹脂等で形成されている。このとき、透明体２の光散乱部２ａを有する平面２ａがフレーム５の平面部５ｂに対面して、透明体２が配置されている。
【００２８】
ホルダ８は、透明体２においてＸ軸方向における他方側の端部に設けられている。すなわちホルダ８は、透明体２のホルダ７が設けられた側の端部とは反対側の端部に設けられている。ホルダ８の穴部８ａに透明体２の端部が挿入される。透明体２が挿入されたホルダ８は、フレーム５のホルダ取付部５ｅにテープ、接着剤、ネジなどで固定される。ホルダ８は、白色の樹脂等で形成されている。このとき、透明体２の光散乱部２ａを有する平面２ａがフレーム５（筐体５）の平面部５ｂに対面して、透明体２が配置されている。
【００２９】
外部コネクタ２４は、センサＩＣ４の光電変換出力、その信号処理出力を含む入出力信号インターフェース用として用いる。
【００３０】
光源基板９は、光源１を実装する基板である。光源基板９は、ホルダ７の透明体２が挿入される側の面とは反対側の面に設置されている。このとき、光源１は、ホルダ７の穴部７ａに対応する位置に配置されており、透明体２の入射面２ｄに対面している。本実施の形態１において、光源１は透明体２の一端側に設けられていることになる。
【００３１】
本発明の実施形態１に係る画像読取装置１００の動作について説明する。図４は、本発明の実施の形態１に係る画像読取装置１００の回路図である。外部からＡＳＩＣ１１へ向かう矢印であるＳＣＬＫはスタートクロック信号、センサＩＣ４からＡＳＩＣ１１へ向かう矢印であるＳＯは信号出力、ＡＳＩＣ１１からセンサＩＣ４へ向かう矢印であるＣＬＫはクロック信号、ＡＳＩＣ１１からセンサＩＣ４へ向かう矢印であるＳＩは信号入力、信号処理回路１２ｃから外部へ向かう矢印であるＳＩＧは画像情報（信号）を意味する。図４の下左図は、信号出力ＳＯの波形で、横軸が時間ｔである。図４の下右図は、信号処理回路１２ｃから出力される画像情報ＳＩＧの波形（１ライン区画）である。最初に、ＡＳＩＣ１１内の信号処理部１２に含まれる、ＣＰＵ１２ａに連動して、ＡＳＩＣ１１から光源駆動回路１４に光源点灯信号を送信する。光源駆動回路１４は、受信した光源点灯信号を基に、各光源１に所定時間電源を供給する。各光源１は電源が供給されている間、光を発光する。光源１が発光した光（光源１から結像光学系３へ向かう破線矢印）は、透明体２の入射面２ｄから透明体２内へ入射し、透過または反射を繰り返しながら伝搬（導光）し、透明体２の光散乱部２ａに到達する。光散乱部２ａに入射した光の一部はＺ軸方向側へ反射され、透明体２の出射部２ｂから出射し、原稿Ｍへ照射される。原稿Ｍへ照射された光は、原稿Ｍで反射し、結像光学系３で集光され、センサＩＣ４に結像される（結像光学系３かたセンサＩＣ４へ向かう破線矢印）。図４では、例示的にセンサＩＣ４が、受光部（光電変換回路）Ａと駆動回路Ｂとで構成されているものを示している。センサＩＣ４からは光電変換されたアナログ信号の信号出力ＳＯが出力され、Ａ／Ｄ変換回路１３でデジタル信号に変換されて、信号処理部１２に含まれている信号処理回路１２ｃに送られる。信号処理回路１２ｃは、ＣＰＵ１２ａに連動して入力したデジタル信号に変換された信号出力ＳＯを信号処理して画像情報ＳＩＧとして出力する。信号処理部１２に含まれるＲＡＭ１２ｂは、ＣＰＵ１２ａに連動して、信号処理回路１２ｃに送られてきた信号出力ＳＯを一時的に格納する機能を有する。なお、信号処理回路１２ｃは、入力した信号出力ＳＯを画像情報に信号処理せず、そのまま信号出力ＳＯの形式で出力する場合もある。
【００３２】
透明体２について詳しく説明する。図５は、本発明の実施の形態１に係る画像読取装置の照明経路を示した図である。図５は、ＹＺ面における透明体の断面図でもある。図５において、複数の矢印は光線を示し、それぞれ光の方向を示している。透明体２は、フレーム５側の平面部２ｅに光散乱部２ａを備える。平面部２ｅはＸ軸方向に延在しており、光散乱部２ａもＸ軸方向に形成されている。光散乱部２ａは、Ｙ軸方向に所定の長さの散乱領域を有する。光散乱部２ａは、微細な凹凸面やエンボス面、シルク印刷などで形成され、透明体２内をＸ軸方向へ伝搬（導光）している光を反射または屈折させることで光の伝搬方向を変え原稿Ｍへ照射させる。この際、光散乱部２ａが第２の光源となるため光源１が経年劣化して色味や発光量が変化してもＸ軸方向の全体が同じように変化するため、アレイ光源のように光源１の経年劣化で特定領域のみ明るさや色味が変わることはない。また、光散乱部２ａでは、反射だけでなく透明体２を透過する光も存在する。このため、光散乱部２ａの下（外側）に設置されているフレーム５（筐体５）の平面部５ｂを白樹脂や金属など反射率の高い部材とすることが望ましく、光散乱部２ａ（透明体２）を透過してきた光を透明体２の内部へ戻すことができるため効率よい照明が行える。
【００３３】
透明体２は、光散乱部２ａを備えた平面部２ｅとは反対側に平面形状の出射面２ｂを備える。詳しくは、出射面２ｂは平面部２ｅに対して傾斜して対向している。出射面２ｂはＸ軸方向に延在している。透明体２は、光散乱部２ａが形成された平面部２ｅと出射面２ｂとの間には、平面部２ｅと出射面２ｂとを繋ぐ側面２ｃを備える。側面２ｃはＸ軸方向に延在しており、ＹＺ面から見た形状が放物面形状を成した、光の反射面２ｃである。光散乱部２ａはＹＺ面において、反射面２ｃの焦点２ｆの位置に形成されている。
【００３４】
透明体２の入射面２ｄから入射した光は透明体内を伝搬して導光され、光散乱部２ａで反射する。この光散乱部２ａで反射した光の内、出射面２ｂ側へ反射した光は、反射面２ｃで更に反射して、出射面２ｂへと向かう。光散乱部２ａが反射面２ｃの焦点２ｆの位置に形成されているため、反射面２ｃで反射した光は平行光となって出射面２ｂへと向かう。出射面２ｂは平面であり、出射面２ｂの平面の法線方向は、反射面２ｃで反射した平行光の方向と一致している。言い換えると、出射面２ｂの平面の法線方向と、反射面２ｃで反射した平行光の方向とは、平行である。このため、出射面２ｂに向かった平行光は、出射面２ｂで透明体２の内部へ反射されるがことなく、全ての平行光が出射面２ｂから透明体２の外部へ出射し、原稿Ｍを照明する。
【００３５】
透明体２の出射面２ｂから原稿Ｍへ照射される光が平行光であるため、原稿Ｍと読取装置１０との距離が変化しても、原稿Ｍを照明する照明光の明るさが変化しない、照明深度が深く、効率良く、安定性の高い照明を行うことができる。
【００３６】
反射面２ｃの放物面形状の曲率が小さくなり、反射面２ｃにおける光散乱部２ａからの光の反射角度が大きくなると、反射面２ｃから透明体２の外部へ漏れる漏れ光が発生する。この漏れ光を抑制するため、反射面２ｃである側面２ｃの外側に金属蒸着等を行って、反射面２ｃを鏡面としても良い。
【００３７】
実施の形態１では、透明体２の端部に設けた光源１から入射した光を、光散乱部２ａで散乱し、この散乱した光を反射面２ｃで反射する形態について説明した。
光源１を光散乱部２ａに対応する位置に、Ｘ軸方向にアレイ状に複数配置し、光源１を反射面２ｃの焦点２ｆの位置に配置しても、同様の効果が得られる。このとき、透明体２には、光散乱部２ａは形成されていない。なお、ＬＥＤ等で構成される光源１は所定の発光領域を有している。光源１の発光領域内から発せられた光が、反射面２ｃの焦点２ｆを通る場合も、同様の作用効果が得られる。また、反射面２ｃの焦点２ｆと反射面２ｃとを結ぶ仮想の光線（仮想直線の光線）が、光源１の発光領域内を通る場合も、同様の作用効果が得られる。
【００３８】
実施の形態２．
本発明の実施の形態２に係る画像読取装置１００について説明する。図６は、本発明の実施の形態２に係る画像読取装置１００の断面図である。図６は、画像読取装置１００をＹＺ面で見た図である。図７は、本発明の実施の形態２に係る画像読取装置１００の分解図である。図６、図７において図１から図５と同一若しくは同等の構成要素には同一符号を付し、その説明を省略する。
【００３９】
実施の形態２に係る画像読取装置１００は、実施の形態１で示したフレーム５（筐体５）の平面部５ｂにＸ軸方向に延在する貫通穴５ｆを備えている。貫通穴５ｆは、少なくとも、平面部５ｂの透明体２の光散乱部２ａに対応する位置が貫通している。貫通穴５ｆに対応する基板６の表面には、白レジストなどの塗料を塗布して形成された高反射率の反射領域６ａ（光反射部６ａ）が形成されている。反射領域６ａは、金属パターンで形成しても良く、基板６の表面を鏡面処理しても良い。なお、実施の形態２では、フレーム５（筐体５）は黒色系の樹脂または金属に黒色系の表面処理を施した、表面が低反射率の構成となっている。
【００４０】
実施の形態１のフレーム５（筐体５）は、反射率の高い材料で構成している。この場合、結像光学系３を透過する光量が多く基板６の反射率がゼロでない場合、結像光学系３、基板６、フレーム５（筐体５）で囲まれた空間内で、結像光学系３を透過した光が基板６で反射した後フレーム５（筐体５）でさらに反射してセンサＩＣ４に入射するという本来の意図とは異なる迷光経路が発生して読取画像が劣化することがある。
【００４１】
実施の形態１の構成でフレーム５（筐体５）の部材を低反射率とした場合、光散乱部２ａを透過してきた光、すなわち透明体２を透過してきた光を透明体２の内部へ戻し効率よい照明を行うため、フレーム５（筐体５）の平面部５ｂに白テープや白樹脂板、白塗料などの高反射率部材を光散乱部２ａの下の該当する領域へ追加することで、対応することも可能である。しかしながら、この場合、追加部材が発生することで構造が複雑化してしまう問題がある。
【００４２】
実施の形態２では、これらの問題を回避するため、フレーム５（筐体５）を表面が低反射率の構成とし、フレーム５（筐体５）に貫通穴５ｆを形成し、基板６の貫通穴５ｆに対応する箇所に、高反射率の反射領域６ａを形成した。基板６の貫通穴５ｆに対応する箇所に高反射率の反射領域６ａを形成したので、透明体２の光散乱部２ａを透過してきた光を反射領域６ａで反射し、透明体２の内部へ戻すことができる。したがって、フレーム５（筐体５）は低反射率の構成であるが、実施の形態１と同様の効率よい照明を行うことができる。
【００４３】
実施の形態３．
本発明の実施の形態３に係る画像読取装置１００について説明する。図８（図８Ａ、図８Ｂ）は、本発明の実施の形態３に係る画像読取装置の照明経路を示した図である。図８（図８Ａ、図８Ｂ）は、ＹＺ面における透明体２の断面図でもある。図８（図８Ａ、図８Ｂ）において、複数の矢印は光線を示し、それぞれ光の方向を示している。図８（図８Ａ、図８Ｂ）において図１から図５と同一若しくは同等の構成要素には同一符号を付し、その説明を省略する。
【００４４】
実施の形態１では、透明体２の光散乱部２ａの位置は反射面２ｃの焦点の位置に同じである場合を説明した。透明体２の光散乱部２ａの位置と反射面２ｃの焦点の位置とが異なる場合であって、実施の形態１と同様の作用効果が得られる構成について説明する。
【００４５】
図８Ａは、反射面２ｃの焦点２ｆの位置が、光散乱部２ａの位置よりも反射面２ｃに対して遠い場合の照明経路を示した図である。本来、焦点２ｆの位置から発する光が、光散乱部２ａの位置において広がりを持っている。焦点２ａからの仮想の光の経路が光散乱部２ａの散乱領域のＹ軸方向の長さ内を通過する経路において光散乱部２ａで反射した光は、放物面形状の反射面２ｃで反射され、略平行光として出射面２ｂへと向かう。
【００４６】
図８Ｂは、反射面２ｃの焦点２ｆの位置が、光散乱部２ａの位置よりも反射面２ｃに対して近い場合の照明経路を示した図である。本来、焦点２ｆの位置から散乱する光が、光散乱部２ａの位置において広がりを持っている。光散乱部２ａの散乱領域のＹ軸方向の長さ内で反射した光は焦点２ｆに位置に集束した後、放物面形状の反射面２ｃで反射され、略平行光として出射面２ｂへと向かう。
【００４７】
このように、焦点２ｆの位置と、光散乱部２ａとの位置がずれている場合、焦点２ｆを通るまたは仮想的に通る光が光散乱部２ａの散乱領域内を通る位置に光散乱部２ａを備えると、出射面２ｂへと向かう光が、略平行光となる。
【００４８】
図８Ａのように、反射面２ｃの焦点２ｆの位置が、光散乱部２ａの位置よりも反射面２ｃに対して遠くすると、透明体２のＺ軸方向の高さを低くできる効果がある。図８Ｂのように、反射面２ｃの焦点２ｆの位置が、光散乱部２ａの位置よりも反射面２ｃに対して近くすると、透明体２の断面積（ＹＺ面面積）が大きくすることができる。これにより、入射面２ｄ面積が大きくなるので、光源１の設置数を増やすことができ、より明るい照明を行うことができる。
【００４９】
実施の形態４．
本発明の実施の形態４に係る画像読取装置１００について説明する。図９（図９Ａ、図９Ｂ）は、本発明の実施の形態４に係る画像読取装置の照明経路を示した図である。図９（図９Ａ、図９Ｂ）は、ＹＺ面における透明体２の断面図でもある。図９において、複数の矢印は光線を示し、それぞれ光の方向を示している。図９（図９Ａ、図９Ｂ）において、図１から図５と同一若しくは同等の構成要素には同一符号を付し、その説明を省略する。
【００５０】
ホログラム等の原稿を読み取る際に最適な照明角度が存在するが、本発明の透明体２で照明角度を大きくするにつれて、反射面２ｃに入射する光散乱部２ａからの光の角度が大きくなっていく。このため、反射面２ｃで全反射条件を満たせなくなり、透明体２の反射面２ｃ（側面２ｃ）から透明体２の外部へ漏れる光の量が大きくなっていく。
【００５１】
側面２ｃに金属蒸着等を行い、反射面２ｃを鏡面とすれば、透明体２の外部へ漏れる光は無くなる。しかしながら、透明体２の製造工程が複雑化する。
【００５２】
実施の形態４では、図９Ａに示すように、出射面２ｂの平面の法線方向と反射面２ｃから出射面２ｂへと向かう平行光の方向とに角度を持たせて、出射面２ｂを形成している。このようにすることにより、出射面２ｂから透明体２の外部へ出射される光の方向は、反射面２ｃから出射面２ｂへと向かう平行光の方向とは異ならせることができる。
【００５３】
図９Ｂに示すように、出射面２ｂの平面の法線方向と反射面２ｃから出射面２ｂへと向かう平行光の方向との角度が一定以上に大きくなると、出射面２ｂで反射面２ｃから出射面２ｂへと向かう平行光が全反射されて、透明体２から光が出射されなくなる。
【００５４】
そのため、出射面２ｂの平面の法線方向と反射面２ｃから出射面２ｂへと向かう平行光の方向とが成す角度θは、透明体２に用いられている材料の屈折率をｎとしたとき、
θ＜ｓｉｎ-１（１／ｎ）  ・・・式（１）
を満たしている必要がある。
【００５５】
式（１）において、透明体の屈折率ｎ＝１．５とするとθ＜４１．８度となる。
【００５６】
このように、式（１）の条件で、出射面２ｂの平面の法線方向と反射面２ｃから出射面２ｂへと向かう平行光の方向とが成す角度を設定することにより、任意の方向へ出射面２ｂから透明体２の外部へ光を出射することができる。
【００５７】
実施の形態５．
本発明の実施の形態５に係る画像読取装置１００について説明する。図１０は、本発明の実施の形態５に係る画像読取装置１００の断面図である。すなわち、図１０は、画像読取装置１００をＹＺ面で見た図である。図１０において、図１から図５と同一若しくは同等の構成要素には同一符号を付し、その説明を省略する。
【００５８】
実施の形態１においては、２本の透明体２が、結像光学系３を挟んで線対称に配置されていた。実施の形態５に係る透明体１０２は、２本の透明体２の出射面２ｂを繋ぎ合わせて一体化したものである。繋ぎ合わせ部１０２ｂは、２本の透明体２のそれぞれの出射面２ｂの結像光学系３の側の端部を繋ぎ合わせている。繋ぎ合わせ部１０２ｂは結像光学系３を覆う構造となっている。この結果、結像光学系３及びセンサＩＣ４が透明体１０２の内部に収納されることになり、防塵機能も期待できる。
【００５９】
実施の形態５に係る画像読取装置１００の他の作用効果については、実施の形態１と同様である。
【００６０】
実施の形態６．
本発明の実施の形態５に係る画像読取装置１００について説明する。図１１は、本発明の実施の形態６に係る画像読取装置の斜視図である。図１２は、本発明の実施の形態６に係る画像読取装置の分解図である。図１３は、本発明の実施の形態６に係る画像読取装置のＹＺ面断面図である。図１４（図１４Ａ、図１４Ｂ）は、本発明の実施の形態６に係る画像読取装置のＸＺ面断面図である。図１３は、特に、透明体２に対するＸ軸方向の中央部におけるＹＺ断面図である。図１４Ａは、光源１が配置された側の端部における実施の形態６に係る画像読取装置のＸＺ断面図であり、図１４Ｂは、図１４Ａとは反対側の端部における実施の形態６に係る画像読取装置のＸＺ断面図である。図１１から図１４（図１４Ａ、図１４Ｂ）において、図１から図５と同一若しくは同等の構成要素には同一符号を付し、その説明を省略する。
【００６１】
光源基板９の透明体２と対面する側の面には、光源１が実装されている。光源１の透明体２と対面する側には、赤外光カットフィルタ（ＩＲＣＦ）１６が配置されている。ＩＲＣＦ１６は、接着剤２３にて光源基板９に接着されている。接着剤２３は、光源１を回避して塗布されている。光源基板９の光源１が実装された面と反対側の面に接触して、放熱シート１７が配置されている。上記の組み付けが行われた光源基板９は、光源１が透明体２の入射面２ｄに対面するようにホルダ７に挿入されて、ホルダ７に接着されている。このとき、放熱シート１７はフレーム５（筐体５）に接触している。
【００６２】
実施の形態１で説明したように、ホルダ７及びホルダ８には透明体２のＸ軸方向の端部が挿入されている。
【００６３】
ロッドレンズ３は、Ｘ軸方向の両端部がサポート１９のＺ軸方向に凹んだ凹部１９ａに挿入されている。サポート１９は、フレーム５（筐体５）のＸ軸方向における両端部に設けられた開口５ｇにはめ込まれている。
【００６４】
基板６は、テープ２２を用いてフレーム５（筐体５）に接着される。このとき、同時に、フレーム５（筐体５）の開口５ｇにはめ込まれたサポート１９が、基板６にテープ２２にて接着される。さらに、サポート１９が基板６に接着された状態で、ロッドレンズ３の周囲に接着剤２０を塗布して、ロッドレンズ３をフレーム５（筐体５）に接着する。図１２において、接着剤２０の形状は、ロッドレンズ３に塗布した接着剤２０の形状を示しているものである。
【００６５】
透明体２の反射面２ｃと反対側の側面は、光散乱部２ａから出射面２ｂの方向に向かうにしたがい、反射面２ｃとは反対側の方向へ傾斜する平面上の傾斜面２ｇを備えている。透明体２のＸ軸方向の中央部において、この傾斜面２ｇをフレーム５（筐体５）の傾斜部５ｃに接着剤１０で接着している。また、透明体２のＸ軸方向における中央部には、平面部２ｅにおいて反射面２ｃ側の端部から短手方向に延伸する鍔部２ｈが形成されている。この鍔部２ｈをフレーム５（筐体５）の平面部５ｂに接着剤２１で接着している。このように、透明体２は、Ｘ軸方向の中央部が接着にてフレーム５（筐体５）に固定される構造となっている。
【００６６】
ガラス１５は、フレーム５（筐体５）における原稿Ｍ側の開口部の周囲５ｈに接着剤１８を塗布または接着テープを貼付して、フレーム５（筐体５）に接着される。
【００６７】
透明体２は、Ｘ軸方向の中央部がフレーム５（筐体５）に接着され、透明体２の端部はホルダ７及びホルダ８に挿入されている。このため、温度変化によって透明体２の熱伸縮が発生しても、透明体２の端部がホルダ７及びホルダ８の内部で摺動するので、透明体２には機械的応力がかからない。よって、信頼性の高い画像読取装置が得られる。
【００６８】
実施の形態１から６に記載の内容は、代表的な実施の内容であり、実施の形態１から実施の形態６に記載の内容を、それぞれ組合せて実施しても良い。
【符号の説明】
【００６９】
１  光源、２  透明体（導光体）、２ａ  光散乱部、２ｂ  出射面、２ｃ  反射面（側面）、２ｄ  入射面、２ｅ  平面部、２ｆ  焦点、２ｇ  傾斜面、２ｈ  鍔部、３  結像光学系（ロッドレンズ）、４  センサＩＣ（受光素子）、５  フレーム（筐体）、５ａ  開口部、５ｂ  平面部、５ｃ  傾斜部、５ｄ  側壁部、５ｅ  ホルダ取付部、５ｆ  貫通穴、５ｇ  開口、５ｈ  周囲、６  基板、６ａ  反射領域（光反射部）、７  ホルダ、７ａ  穴部、８  ホルダ、８ａ  穴部、９  光源基板、１０  保持部材（接着剤、テープ）、１１  ＡＳＩＣ（信号処理ＩＣ）、１２  信号処理部（中央処理装置）、１２ａ  ＣＰＵ、１２ｂ  ＲＡＭ、１２ｃ  信号処理回路、１３  Ａ／Ｄ変換回路、１４  光源駆動回路、１５  ガラス、１６  赤外光カットフィルタ（ＩＲＣＦ）、１７  放熱シート、１８  接着剤、１９  サポート、１９ａ  凹部、２０  接着剤、２１  接着剤、２２  テープ、２３  接着剤、２４  外部コネクタ、１００  画像読取装置、１０２  透明体（導光体）、１０２ｂ  繋ぎ合わせ部、Ａ  受光部（光電変換回路）、Ｂ  駆動回路、Ｍ  原稿（被照明体）。
【図１】
0006479286.tif 000002
【図２】
0006479286.tif 000003
【図３】
0006479286.tif 000004
【図４】
0006479286.tif 000005
【図５】
0006479286.tif 000006
【図６】
0006479286.tif 000007
【図７】
0006479286.tif 000008
【図８Ａ】
0006479286.tif 000009
【図８Ｂ】
0006479286.tif 000010
【図９Ａ】
0006479286.tif 000011
【図９Ｂ】
0006479286.tif 000012
【図１０】
0006479286.tif 000013
【図１１】
0006479286.tif 000014
【図１２】
0006479286.tif 000015
【図１３】
0006479286.tif 000016
【図１４Ａ】
0006479286.tif 000017
【図１４Ｂ】
0006479286.tif 000018